(57)【要約】【課題】操作パネルを備えた電子装置において、操作パネルの傾斜角度や回転角度を自在に変えることができ、しかも操作パネルが装置本体から大きく突出することのないようにする。【解決手段】装置本体１０に操作パネル２を取付手段３によって取り付ける。取付手段３は、装置本体側に取り付けられる基体３１と、操作パネル側に取り付けられる支持体３２とを有する。基体３１及び支持体３２の一方の、少なくとも１つの面に２つの長孔３２１ａ，３２１ｂを形成し、もう一方に、２つの長孔３２１ａ，３２１ｂのそれぞれに係合する２つの突起３１１ａ，３１１ｂを形成する。そして、２つの突起３１１ａ，３１１ｂが２つの長孔３２１ａ，３２１ｂ内を相対移動することによって、操作パネル２の傾斜角度及び／又は回転角度を変化させる。【選択図】図３
2010262118.tif 000002
【特許請求の範囲】
【請求項１】
装置本体に、取付手段によって、水平面に対する傾斜角度及び／又は水平面内での回転角度が可変自在に操作パネルが取り付けられた電子装置であって、
前記取付手段は、前記装置本体側に取り付けられる基体と、前記操作パネル側に取り付けられる支持体とを有し、
前記基体及び前記支持体の一方の、少なくとも１つの面に２つの長孔が形成され、もう一方に、前記２つの長孔のそれぞれに係合する２つの突起が形成され、
前記２つの突起が前記２つの長孔内を相対移動することによって、前記操作パネルの前記傾斜角度及び／又は前記回転角度が変化することを特徴とする電子装置。
【請求項２】
前記操作パネルの前記傾斜角度及び／又は前記回転角度が段階的に変化する請求項１記載の電子装置。
【請求項３】
前記操作パネルの、所定傾斜角度及び／又は所定回転角度での固定を、前記基体及び前記支持体の一方に形成したピン穴と、もう一方に形成したピンとの係合により行う請求項２記載の電子装置。
【請求項４】
前記操作パネルの、所定傾斜角度及び／又は所定回転角度での固定を、前記基体及び前記支持体の一方に形成した段部と、もう一方に形成した爪部との係合により行う請求項２記載の電子装置。
【発明の詳細な説明】
【技術分野】
【０００１】
本発明は電子装置に関し、より詳細には、水平面に対する傾斜角度及び／又は水平面内での回転角度が可変の操作パネルを装置本体に設けた電子装置に関するものである。
【背景技術】
【０００２】
近年、様々な分野の工業製品において、健常者のみならず身体的な障害者にも使いやすいユニバーサルデザインが取り入れられつつある。操作パネルを備えた電子機器においても、使用者の身長等に合わせて、操作パネルの向きを変更できるようにする技術が種々提案されている。
【０００３】
例えば特許文献１では、装置本体の前面に設けられた操作パネルを、水平方向に位置する回転軸のまわりに回転可能とするとともに、姿勢調整機構によってその傾斜角度を複数段に変更できるようにする技術が提案されている。
【先行技術文献】
【特許文献】
【０００４】
【特許文献１】特開2007-334157
【発明の概要】
【発明が解決しようとする課題】
【０００５】
ところが、前記提案技術のような、操作パネルを、水平に位置する回転軸を中心として回転させて、水平面に対する傾斜角度を変える構成では、操作パネルの回転領域を確保しなければならないため、操作パネルは装置本体から突出した状態に取り付けられることが多い。図９に従来例を示す装置の側面図を示す。この図に示す操作パネル２は、回転軸６１を中心に回転自在に装置本体１０に取り付けられている。この図に示す電子装置では、操作パネル２は装置本体１０から最大でＸ’ｍｍ突き出ている。
【０００６】
また、操作パネルを、鉛直に位置する回転軸を中心として回転させて、水平面内で向きを変える構成においても同様に、操作パネルの回転領域を確保する必要性から、操作パネルを装置本体から突出した状態に取り付けられる。図１０に、従来例を示す装置の平面図を示す。この図に示す操作パネル２は、鉛直方向に位置する回転軸７１を中心として水平面内で回転自在に装置本体に取り付けられている。この図に示す電子装置では、操作パネル２は、平面視において、装置本体からＹ’ｍｍの隙間を開けて取り付けられている。
【０００７】
このように操作パネルが装置本体から突き出ていると、梱包する際の箱のサイズを大きくする必要がある。また、搬送時に、装置本体から突出した操作パネルを壁や柱に引っ掛けて破損させたり、部屋の扉やエレベータの扉を通過できないことがある。
【０００８】
本発明は、このような従来の問題に鑑みてなされたものであり、その目的は、操作パネルを備えた電子装置において、操作パネルの傾斜角度や回転角度を自在に変えることができ、しかも操作パネルが装置本体から大きく突出することのないようにすることにある。
【課題を解決するための手段】
【０００９】
本発明によれば、装置本体に、取付手段によって、水平面に対する傾斜角度及び／又は水平面内での回転角度が可変自在に操作パネルが取り付けられた電子装置であって、前記取付手段は、前記装置本体側に取り付けられる基体と、前記操作パネル側に取り付けられる支持体とを有し、前記基体及び前記支持体の一方の、少なくとも１つの面に２つの長孔が形成され、もう一方に、前記２つの長孔のそれぞれに係合する２つの突起が形成され、前記２つの突起が前記２つの長孔内を相対移動することによって、前記操作パネルの前記傾斜角度及び／又は前記回転角度が変化することを特徴とする電子装置が提供される。
【００１０】
ここで、前記操作パネルの前記傾斜角度及び／又は前記回転角度が段階的に変化するようにするのが好ましい。
【００１１】
また、前記操作パネルの、所定傾斜角度及び／又は所定回転角度での固定は、前記基体及び前記支持体の一方に形成したピン穴と、もう一方に形成したピンとの係合により行う、あるいは、前記基体及び前記支持体の一方に形成した段部と、もう一方に形成した爪部との係合により行うのが好ましい。
【発明の効果】
【００１２】
本発明の電子機器では、操作パネルの傾斜角度や回転角度を自在に変えられるので、優れた操作性が得られる。また、装置本体からの操作パネルの突出量が短く抑えられ、梱包箱のサイズを大きくしたり、搬送時に、装置本体から突出した操作パネルが壁等に衝突し破損することが回避できる。さらに、部屋の扉やエレベータの扉を通過させることが容易となる。
【００１３】
操作パネルの傾斜角度及び／又は回転角度が段階的に変化するようにすると、操作パネルの位置設定を容易に行えるようになる。加えて、操作パネルの、所定傾斜角度及び／又は所定回転角度での固定を、基体及び支持体の一方に形成したピン穴と、もう一方に形成したピンとの係合により行う、あるいは、基体及び支持体の一方に形成した段部と、もう一方に形成した爪部との係合により行うと、取付手段の構造の複雑化が回避される。
【図面の簡単な説明】
【００１４】
【図１】本発明に係る電子装置の一例としての画像形成装置の全体斜視図。
【図２】操作パネルの一例を示す平面図。
【図３】操作パネルの取付手段の一例を示す要部断面図。
【図４】図３に示した操作パネルの傾斜角度を変更した場合の状態図。
【図５】図３のＡ方向から見たパネル角度固定手段の一例を示す部分平面図。
【図６】図５のＢ−Ｂ線断面図。
【図７】操作パネルの水平面内での回転角度を変更した場合の状態図。
【図８】本発明で使用する取付手段及びパネル角度固定手段の他の実施形態を示す斜視図。
【図９】従来の操作パネルの傾斜角度を変更した場合の状態図。
【図１０】従来の、操作パネルの水平面内での回転角度を変更した場合の状態図。
【発明を実施するための形態】
【００１５】
以下、本発明に係る電子装置について図に基づいて説明するが、本発明はこれらの実施形態に何ら限定されるものではない。
【００１６】
図１は、本発明に係る電子装置の一例としての操作パネルを備えた画像形成装置１の概説図である。図１の画像形成装置１は、上段部に原稿画像読み取りユニット１１を備え、このユニット１１で読み取った画像の電子データに基づいて、作像ユニット１３で画像が再現される。そして、再現された画像は、給紙カセット１２に積層収納され１枚ずつ供給される用紙に転写され、用紙は排紙空間１４へ排出される。
【００１７】
操作パネル２は、画像形成装置１の正面上部右寄りの位置に装置本体１０から少し正面側に突き出た形で設置されている。
【００１８】
図２に示すように、操作パネル２は、設定入力の内容や装置の運転状態等を表示する液晶ディスプレイなどから構成される表示部２１と、設定入力するためキー群等から構成される操作部２２とを備える。なお、表示部２１は、タッチパネルなど表示機能と共に入力機能を備えるものであっても構わない。
【００１９】
操作パネル２は、取付手段３によって、水平面に対する傾斜角度及び水平面内での回転角度を可変自在に装置本体１０に取り付けられている。図３に、取付手段３の一例を示す。図３に示す取付手段３は、装置本体１０のフレーム１０１にボルト１０２で回転可能に取り付けられた基体３１と、操作パネル２の裏面に取り付けられた支持体３２とを備える。
【００２０】
基体３１は、平板の両側を屈曲させて、向かい合う一対の側壁を形成した形状を有し、一対の側壁の内周面にはそれぞれ、突起３１１ａと突起３１１ｂとが内方に突出するように形成されている。一方、支持体３２は、基体３１と同様に、平板の両側を屈曲させて、向かい合う一対の側壁を形成した形状を有し、一対の側壁の上端部には側壁に対して略垂直外方に屈曲された取付部３２４（図６に図示）が形成され、ここに操作パネル２の裏面が取り付けられる。支持体３２の一対の側壁にはそれぞれ、長穴３２１ａ及び長穴３２１ｂが形成されている。長穴３２１ｂの形成方向は略水平方向であり、長穴３２１ａの形成方向は、装置本体１０から離れるに従って上方に向かう方向である（図３において右上がり方向）。このような支持体３２の長穴３２１ａ及び長穴３２１ｂに、基体３１の突起３１１ａ及び突起３１１ｂを係入することによって、基体３１と支持体３２とが連結される。
【００２１】
図４に示すように、操作パネル２を装置本体１０から正面方向に引き出すと、操作パネル２の裏面に取り付けられた支持体３２も操作パネル２と共に正面方向に引き出される。このとき、支持体３２の長穴３２１ａ，３２１ｂは、基体３１の突起３１１ａ，３１１ｂの位置関係を維持するように移動する。これによって、図４において支持体３２は時計回りに回動し、操作パネル２は水平面に対して傾斜角度を有するようになる。操作パネル２を傾斜させる場合、図９に示したような、固定された回転軸６１を中心として操作パネル２を回動させる従来の電子装置では、装置本体１０からの操作パネル２の突出量がＸ’ｍｍであるのに対して、本発明の電子装置では、２つの長穴と２つの突起との相対移動によって操作パネルを回転させるので、装置本体１０からの操作パネル２の突出量は従来よりも短いＸｍｍとなる。なお、長穴の形成位置及び形状は、操作パネル２の傾斜角度が、回転中心が移動しながら変わるようにするものであれば特に限定はなく、操作パネル２の形状や取付位置などから適宜決定すればよい。
【００２２】
操作パネル２を通常位置と傾斜位置の２つの状態位置に変化させる場合には、前述の長穴と突起とを係合させた機構のみで足りるが、操作パネル２の傾斜角度を段階的に変化させる場合には、所定の傾斜角度で操作パネル２を固定する機構がさらに必要となる。操作パネル２の傾斜角度を固定するパネル角度固定機構について次に説明する。
【００２３】
図５に、パネル角度固定機構の一例を示す。図５は、操作パネル２を取り外した状態の、図３のＡ方向から見た部分平面図である。また図６は、図５のＢ−Ｂ線断面図である。
【００２４】
図５及び図６に示すパネル角度固定機構は、支持体３２に設けられた、外方に向かって出没自在のピン４１ａ，４１ｂが、基体３１に形成された、傾斜角度に対応する複数個のピン穴４２ａ，４２ｂに係入することによって、操作パネル２の傾斜角度を固定するものである。ピン４１ａ，４１ｂの支持体３２からの出没は次のようにして行われる。ピン４１ａ，４１ｂは、一対のＬ字状の支持具４４ａ，４４ｂに取り付けられている。支持具４４ａ，４４ｂは、支持体３２の側壁に対して垂直方向に移動可能に設けられてる。そして、支持具４４ａ，４４ｂに設けられた垂直ピン４５ａ，４５ｂが、支持体３２の内底面に摺動可能に設けられた長板状体４３１の一対の長穴４６ａ，４６ｂに移動自在に係入している。
【００２５】
長板状体４３１は、不図示のバネ部材によって図の左方向に常に付勢されている。また、長板状体４３１に形成された２つの長穴４７ａ，４７ｂに、支持体３２の底面に取り付けられたピン４８ａ，４８ｂが係合し、長板状体４３１の摺動量及び位置決めが行われる。長板状体４３１の外側端部にはレバー４３が接続されている。
【００２６】
操作パネル２の傾斜角度を変える場合には、レバー４３を外方（図５の右側）に引っ張る。すると、長板状体４３１が、不図示のバネ部材に抗して図５の右方向に移動する。長板状体４３１に形成された長穴４６ａ，４６ｂが、長板状体４３１の移動方向に対して角度を有して形成されているため、長板状体４３１が図５の右方向に移動すると、長穴４６ａ，４６ｂに係合している一対の垂直ピンは支持体３２の幅方向内方へ移動する。これによって、支持具４４ａ，４４ｂが支持体３２の幅方向内方へ移動し、ピン４１ａ，４１ｂは支持体３２の側壁に没する。そして、ピン４１ａ，４１ｂと基体３１のピン穴４２ａ，４２ｂとの係合状態が解除され、支持体３２は基体３１に対して回転可能となる。次いで、操作パネル２を回転させて所望の傾斜角度とした後、レバー４３に加えていた力を解除すると、不図示のバネ部材の弾性力によって長板状体４３１は図５の左方向に移動する。これによって、長板状体４３１の移動方向に対して角度を有している一対の長穴４６ａ，４６ｂによって、垂直ピン４５ａ，４５ｂは支持体３２の幅方向外方へ移動し、支持体３２の側壁表面からピン４１ａ，４１ｂが突出し、基体３１に形成されたピン穴４２ａ，４２ｂに係入して、操作パネル２は新たな傾斜角度で固定される。
【００２７】
次に、操作パネル２を水平面内での回転角度を変える場合について説明する。図７は、その一例を示す操作パネル２の平面図である。装置本体１０への操作パネル２の取付手段は、この図には示されていないが、前記実施形態と同様に、装置本体１０に取り付けられた基体３１と、操作パネル２の裏面に取り付けられた支持体３２とを有する。そして基体３１に形成された突起３１２ａ，３１２ｂが、支持体３２に形成された長穴３２２ａ，３２２ｂに係合することによって相対移動可能に連結されている。
【００２８】
操作パネル２の水平面内での回転角度を変える場合は、操作パネル２を正面方向に引っ張る。すると、操作パネル２の裏面に取り付けられている支持体３２の長穴３２２ａ，３２２ｂが、基体３１の突起３１２ａ，３１２ｂの位置関係を維持するように移動する。これによって、図７において、操作パネル２は時計回りに回動する。操作パネル２を水平面内で回転させる場合、図１０に示したような、固定された回転軸７１を中心として操作パネル２を回転させる従来の電子装置では、装置本体１０からの操作パネル２の突出量がＹ’ｍｍであるのに対して、本発明の電子装置では、２つの長穴と２つの突起との相対移動によって操作パネルを回転させるので、装置本体１０からの操作パネル２の突出量は従来よりも短いＹｍｍとなる。なお、長穴の形成位置及び形状は、操作パネル２の傾斜角度が、回転中心が移動しながら変わるようにするものであれば特に限定はなく、操作パネル２の形状や取付位置などから適宜決定すればよい。
【００２９】
図８に、取付手段３’とパネル角度固定機構の他の実施形態を示す。この図に示す取付手段は、装置本体１０のフレーム１０１に軸部材１０２によって水平面内での回転が自在に取り付けられた基体３３と、操作パネル２の裏面に取り付けられた支持体３４とを備える。基体３３の側壁にはそれぞれ、長穴３３１ａ及び長穴３３１ｂが形成されている。そして、支持体３４の側壁間には、突起としての軸部材３４１ａ及び軸部材３４１ｂが、基体３３の長穴３３１ａ，３３１ｂを挿通する形で架設されている。
【００３０】
このような構成の取付手段３’において、支持体３４を基体３３から正面方向に引き出すと、支持体３４の側壁間に架設された軸部材３４１ａ，３４１ｂが長穴３３１ａ，３３１ｂ内を移動する。これによって、図８において、支持体３４は水平面に対して傾斜角度を有するように回転する。
【００３１】
一方、図８に示すパネル角度固定機構は、基体３３の一方の側壁に形成された階段状の段部３３２と、支持体３４の側面に取り付けられ、支持体３４と共に回転するレバー５３と、レバー５３と共に移動し、段部３３２に係合する係止爪（爪部）５１とを有する。レバー５３は、引きバネＳによって装置本体側に常に付勢されている。レバー５３の一部として形成された係止爪５１は、支持体３４の側壁に形成された開口部５２から内方へ突き出し、引きバネＳの付勢力によって基体３３の段部３３２に係止している。
【００３２】
操作パネル２の傾斜角度を変える場合、すなわち支持体３４の傾斜角度を変える場合は、引きバネＳの付勢力に抗して、レバー５３を正面側に引っ張る。すると、レバー５３の一部である係止爪５１が正面方向に移動し、基体３３の段部３３２との係合状態が解除され、支持体３４は移動可能となる。次いで、支持体３４を移動させて所望の傾斜角度とした後、レバー５３に加えていた力を解除すると、引きバネＳの付勢力によってレバー５３は装置本体側に戻り、係止爪５１は、基体３３の段部３３２に係止して、支持体３４は新たな傾斜角度で固定される。なお、段部３３２の段数に限定はなく、段部３３２の段数を多くするほど、操作パネル２の傾斜角度を緩やかに変化させることができるようになる。
【産業上の利用可能性】
【００３３】
本発明に係る電子装置では、操作パネルの傾斜角度や回転角度を自在に変えることができるので、優れた操作性が得られ、加えて操作パネルが装置本体から大きく突出することがないので、梱包箱のサイズを大きくしたり、搬送時に、装置本体から突出した操作パネルが壁等に衝突し破損することが回避でき有用である。
【符号の説明】
【００３４】
１    画像形成装置（電子装置）
２    操作パネル
３    取付手段
１０    装置本体
３１    基体
３２    支持体
３３    基体
３４    支持体
４１ａ，４１ｂ    ピン
４２ａ，４２ｂ    ピン穴
５１    係止爪（爪部）
３１１ａ，３１１ｂ    突起
３２１ａ，３２１ｂ    長穴
３３１ａ，３３１ｂ    長穴
３３２    段部
３４１ａ，３４１ｂ    軸部材（突起）
【図１】
2010262118.tif 000003
【図２】
2010262118.tif 000004
【図３】
2010262118.tif 000005
【図４】
2010262118.tif 000006
【図５】
2010262118.tif 000007
【図６】
2010262118.tif 000008
【図７】
2010262118.tif 000009
【図８】
2010262118.tif 000010
【図９】
2010262118.tif 000011
【図１０】
2010262118.tif 000012